(57)【要約】【課題】不良であるとして処理される媒体の数を低減することが可能な媒体作成装置を提供する。【解決手段】実施形態による媒体作成装置は、供給部と、複数の読取部と、記録部と、制御部とを備える。供給部は、媒体固有の識別情報が複数の記録方式で予め記録された媒体を供給するように構成されている。複数の読取部は、複数の記録方式に対応するように設けられ、媒体から識別情報を読み取るように構成されている。記録部は、媒体に情報を記録するように構成されている。制御部は、複数の記録方式が識別情報の読取成功率順に登録されたリストに基づいて、読取成功率が最も高い第１記録方式で記録された識別情報を、複数の読取部のうち第１記録方式に対応する読取部を用いて媒体から読み取り、識別情報を正常に読み取ることができた場合に、記録部を用いて媒体に情報を記録する制御を行うように構成されている。【選択図】図２
2015176302.tif 000002
【特許請求の範囲】
【請求項１】
媒体固有の識別情報が複数の記録方式で予め記録された媒体を供給する供給部と、
前記複数の記録方式に対応するように設けられ、前記媒体から前記識別情報を読み取る複数の読取部と、
前記媒体に情報を記録する記録部と、
前記複数の記録方式が前記識別情報の読取成功率順に登録されたリストに基づいて、前記読取成功率が最も高い第１記録方式で記録された前記識別情報を、前記複数の読取部のうち前記第１記録方式に対応する読取部を用いて前記媒体から読み取り、前記識別情報を正常に読み取ることができた場合に、前記記録部を用いて前記媒体に前記情報を記録する制御を行う制御部とを備える、媒体作成装置。
【請求項２】
前記制御部は、前記複数の記録方式で記録された前記識別情報の各々を前記複数の読取部の各々を用いて順次読み取った結果を記録方式別に集計することにより前記リストを生成するように構成されている、請求項１に記載の媒体作成装置。
【請求項３】
前記制御部は、前記リストに基づいて、前記第１記録方式に対応する読取部を用いて前記識別情報を読み取る第１モードでの制御動作と、前記リストを生成するために、前記複数の記録方式で記録された前記識別情報の各々を前記複数の読取部の各々を用いて順次読み取る第２モードでの制御動作とを切り替え可能に構成されている、請求項２に記載の媒体作成装置。
【請求項４】
前記制御部は、前記第１記録方式に対応する読取部を用いても前記識別情報を正常に読み取ることができない場合に、前記リストに基づいて、前記第１記録方式以外の第２記録方式で記録された前記識別情報を前記第２記録方式に対応する読取部を用いて読み取る処理を、前記識別情報を正常に読み取ることができるまで、前記読取成功率の高い順に順次実行するように構成されている、請求項１〜３のいずれか１項に記載の媒体作成装置。
【請求項５】
前記制御部は、前記処理を前記読取成功率の高い順に順次実行しても前記読取成功率の最も低い前記第２記録方式で記録された前記識別情報を正常に読み取ることができない場合に、前記情報を記録せずに前記媒体を排出するように構成されている、請求項４に記載の媒体作成装置。
【発明の詳細な説明】
【技術分野】
【０００１】
本発明の実施形態は、媒体作成装置に関する。
【背景技術】
【０００２】
従来、媒体固有の識別情報を媒体から正常に読み取ることができた場合に、その媒体に各種情報を記録する媒体作成装置が知られている。このような従来の媒体作成装置では、１つの読取部を用いて媒体から識別情報を読み取るのが一般的である。
【先行技術文献】
【特許文献】
【０００３】
【特許文献１】特開平９−１７９９５５号公報
【発明の概要】
【発明が解決しようとする課題】
【０００４】
上記のような従来の媒体作成装置では、読取部が１つしか設けられていないため、１回の読取処理で媒体から識別情報が正常に読み取られなかった場合に、その媒体が不良であるとして処理されることがある。このため、不良であるとして処理される媒体の数を低減することができれば望ましい。
【課題を解決するための手段】
【０００５】
実施形態による媒体作成装置は、供給部と、複数の読取部と、記録部と、制御部とを備える。供給部は、媒体固有の識別情報が複数の記録方式で予め記録された媒体を供給するように構成されている。複数の読取部は、複数の記録方式に対応するように設けられ、媒体から識別情報を読み取るように構成されている。記録部は、媒体に情報を記録するように構成されている。制御部は、複数の記録方式が識別情報の読取成功率順に登録されたリストに基づいて、読取成功率が最も高い第１記録方式で記録された識別情報を、複数の読取部のうち第１記録方式に対応する読取部を用いて媒体から読み取り、識別情報を正常に読み取ることができた場合に、記録部を用いて媒体に情報を記録する制御を行うように構成されている。
【図面の簡単な説明】
【０００６】
【図１】図１は、実施形態による媒体作成システムの全体構成の一例を示した図である。
【図２】図２は、実施形態による冊子作成装置の内部構成の一例を示したブロック図である。
【図３】図３は、実施形態による冊子作成装置により用いられる読取優先度リストの一例を示した図である。
【図４】図４は、実施形態による冊子作成装置により用いられる記録方式リストの一例を示した図である。
【図５】図５は、実施形態による冊子作成装置により用いられる読取結果リストの一例を示した図である。
【図６】図６は、実施形態による冊子作成装置がモードを移行する際に実行する処理フローの一例を示したフローチャートである。
【図７】図７は、実施形態による冊子作成装置が学習モードで動作する際に実行する処理フローの一例を示したフローチャートである。
【図８】図８は、実施形態による冊子作成装置が通常印刷モードで動作する際に実行する処理フローの一例を示したフローチャートである。
【発明を実施するための形態】
【０００７】
以下、実施形態を図面に基づいて説明する。
【０００８】
まず、図１を参照して、実施形態による媒体作成システム１０００の全体構成の一例について説明する。
【０００９】
媒体作成システム１０００とは、個人の認証に用いられる媒体（たとえば免許証や旅券など）を発行するシステムである。このような媒体には、固有の識別情報が予め記録されている。識別情報は、テキスト情報として媒体に印刷されていてもよいし、バーコードなどの画像情報として媒体に印刷されていてもよいし、レーザにより媒体に形成された孔の穿孔パターンとして媒体に記録されていてもよいし、媒体に設けられたＩＣ（Ｉｎｔｅｇｒａｔｅｄ  Ｃｉｒｃｕｉｔ）などに書き込まれていてもよい。実施形態による媒体は、複数の記録方式で識別情報が予め記録された媒体であればよく、上記４つ以外の記録方式を含む５つ以上の記録方式で識別情報が予め記録された媒体であってもよいし、２つ以上３つ以下の記録方式で識別情報が予め記録された媒体であってもよい。以下では、一例として、媒体が、上記４つの記録方式で識別情報が予め記録された冊子である例について説明する。
【００１０】
図１に示すように、媒体作成システム１０００は、冊子作成装置１００と、入力端末２００と、上位端末３００とを備える。これら冊子作成装置１００、入力端末２００、および上位端末３００は、ネットワークを介して互いに通信可能に接続されている。なお、図１では、冊子作成装置１００が３個設けられた例を示したが、実施形態では、冊子作成装置１００の個数は２個以下であってもよいし、４個以上であってもよい。
【００１１】
冊子作成装置１００は、入力端末２００のオペレータにより行われる冊子作成指示に基づいて冊子を作成する。ここで、入力端末２００は、冊子作成装置１００に対する冊子作成指示などを入力するための入力手段を備えたコンピュータなどである。冊子作成指示は、どのような情報を冊子に記録（印刷）するかを示すデータとともに入力端末２００から冊子作成装置１００に送信される。冊子に記録される情報は、冊子の発行先の個人の氏名や顔写真などの個人情報を含む。なお、上位端末３００は、冊子の作成結果を含む冊子の作成状況などに関するデータを冊子作成装置１００から収集し、収集したデータを上位端末３００のオペレータに通知する通知手段（たとえばディスプレイなど）を備えたコンピュータなどである。
【００１２】
次に、図２〜図５を参照して、実施形態による冊子作成装置１００の内部構成の一例について詳細に説明する。
【００１３】
図２に示すように、冊子作成装置１００は、通信部１と、操作部２と、制御部３と、記憶部４とを備える。また、冊子作成装置１００は、供給部５と、めくり部６と、読取部７と、冊子印刷部８と、検査部９と、ＩＣ書込部１０と、正常集積部１１と、不良集積部１２ａおよび１２ｂとを備える。なお、冊子印刷部８およびＩＣ書込部１０は、「記録部」の一例である。また、図２に示した右向きの矢印は、冊子の搬送方向を示す。
【００１４】
通信部１は、入力端末２００および上位端末３００とネットワーク通信を行うためのインターフェースである。操作部２は、冊子作成装置１００に対する操作入力を受け付ける。たとえば、冊子作成装置１００のオペレータは、操作部２を操作することにより、後述する通常印刷モードおよび学習モードを相互に切り替えることができる。制御部３は、冊子作成装置１００の各部の動作を制御するように構成されている。記憶部４は、制御部３により実行される各種プログラムや、これら各種プログラムの実行の際に必要な各種データを記憶するように構成されている。たとえば、記憶部４には、後述する読取優先度リストＬ１（図３参照）、記録方式リストＬ２（図４参照）、および読取結果リストＬ３（図５参照）などが記憶されている。
【００１５】
供給部５は、未発行状態の冊子を保持することが可能なように構成されており、未発行状態の冊子をめくり部６に供給するように構成されている。めくり部６は、未発行状態の冊子のページを識別情報が記録されたページまでめくるように構成されている。
【００１６】
読取部７は、冊子に記録された識別情報を読み取ることが可能なように構成されている。読取部７は、上述した４つの記録方式に対応するように３つ設けられている。より具体的には、読取部７は、ＯＣＲ（Ｏｐｔｉｃａｌ  Ｃｈａｒａｃｔｅｒ  Ｒｅａｄｅｒ）７ａと、ＢＣＲ（Ｂａｒｃｏｄｅ  Ｒｅａｄｅｒ）７ｂと、ＩＣ読取部７ｃとを含む。
【００１７】
ＯＣＲ７ａは、冊子に印刷されたテキスト情報を読み取ることにより識別情報を取得することが可能なように構成されているとともに、冊子に形成された孔の穿孔パターンを読み取ることにより識別情報を取得することが可能なように構成されている。また、ＢＣＲ７ｂは、冊子に印刷されたバーコードを読み取ることにより識別情報を取得することが可能なように構成されている。また、ＩＣ読取部７ｃは、冊子に設けられたＩＣ内の情報を読み取ることにより識別情報を取得することが可能なように構成されている。なお、実施形態では、読取部７は、識別情報の記録方式の全てに対応するように複数設けられていれば、ＯＣＲ７ａ、ＢＣＲ７ｂ、およびＩＣ読取部７ｃ以外を含んでいてもよい。
【００１８】
冊子印刷部８は、入力端末２００から指示されたデータに基づいて、冊子に情報を印刷するように構成されている。検査部９は、冊子印刷部８により冊子に情報が正常に印刷されたか否かを検査するように構成されている。ＩＣ書込部１０は、入力端末２００から指示されたデータに基づいて、冊子に設けられたＩＣに情報を書き込むように構成されている。
【００１９】
正常集積部１１は、冊子印刷部８およびＩＣ書込部１０により情報が正常に記録された冊子を集積するように構成されている。不良集積部１２ａは、ＯＣＲ７ａ、ＢＣＲ７ｂ、およびＩＣ読取部７ｃの３つの読取部７のいずれを用いても識別情報を読み取ることができない冊子を集積するように構成されている。不良集積部１２ｂは、入力端末２００から指示されたデータが正常に記録されなかった冊子を集積するように構成されている。
【００２０】
ここで、実施形態では、制御部３は、供給部５から未発行状態の冊子が供給された場合に、図３に示すような読取優先度リストＬ１に基づいて、ＯＣＲ７ａ、ＢＣＲ７ｂ、またはＩＣ読取部７ｃを用いて冊子から識別情報を読み取るように構成されている。読取優先度リストＬ１は、複数の記録方式が識別情報の読取成功率順に登録されたリストである。図３には、一例として、複数の記録方式が読取成功率の高い順に登録された読取優先度リストＬ１が示されている。この読取優先度リストＬ１では、読取成功率の高さと読取優先度の高さとが互いに対応している。
【００２１】
制御部３は、未発行状態の冊子から識別情報を最初に読み取る場合に、読取優先度リストＬ１（図３参照）に基づいて、読取成功率が最も高い第１記録方式で記録された識別情報を、第１記録方式に対応する１つの読取部７（ＯＣＲ７ａ、ＢＣＲ７ｂ、またはＩＣ読取部７ｃ）を用いて冊子から識別情報を読み取るように構成されている。
【００２２】
たとえば、図３に示した読取優先度リストＬ１によれば、読取優先度の最も高い記録方式、すなわち、読取成功率の最も高い記録方式は、テキスト方式である。したがって、実施形態では、制御部３は、未発行状態の冊子から識別情報を最初に読み取る場合に、ＯＣＲ７ａを用いて、テキスト方式で記録された識別情報を読み取る。
【００２３】
また、制御部３は、上記の第１記録方式に対応する読取部７を用いても識別情報を正常に読み取ることができない場合に、読取優先度リストＬ１（図３参照）に基づいて、第１記録方式以外の第２記録方式で記録された識別情報を第２記録方式に対応する読取部７（ＯＣＲ７ａ、ＢＣＲ７ｂ、またはＩＣ読取部７ｃ）を用いて読み取る処理を、識別情報を正常に読み取ることができるまで、読取成功率の高い順に順次実行するように構成されている。
【００２４】
たとえば、図３に示した読取優先度リストＬ１によれば、テキスト方式の次に読取成功率の高い記録方式は、バーコード方式である。したがって、実施形態では、制御部３は、ＯＣＲ７ａを用いてもテキスト方式で記録された識別情報を読み取ることができない場合に、ＢＣＲ７ｂを用いてバーコード方式で記録された識別情報を読み取る。また、図３に示した読取優先度リストＬ１によれば、バーコード方式の次に読取成功率の高い記録方式は、レーザ穿孔方式であり、レーザ穿孔方式の次に読取成功率の高い記録方式は、ＩＣ方式である。したがって、実施形態では、制御部３は、ＢＣＲ７ｂを用いてもバーコード方式で記録された識別情報を読み取ることができない場合に、ＯＣＲ７ａを用いてレーザ穿孔方式で記録された識別情報を読み取り、ＯＣＲ７ａを用いてもレーザ穿孔方式で記録された識別情報を読み取ることができない場合に、ＩＣ読取部７ｃを用いてＩＣ方式で記録された識別情報を読み取る。
【００２５】
制御部３は、識別情報を読取成功率の高い順に順次読み取る上記の読取処理を、識別情報を正常に読み取ることができた時点で終了するように構成されている。そして、制御部３は、識別情報を正常に読み取ることができた場合に、冊子印刷部８およびＩＣ書込部１０を用いて冊子に情報を記録するように構成されている。一方、制御部３は、上記の読取処理を順次実行しても読取成功率の最も低い第２記録方式で記録された識別情報を正常に読み取ることができない場合には、冊子印刷部８およびＩＣ書込部１０を用いて冊子に情報を記録せずに、不良集積部１２ａに冊子を排出するように構成されている。
【００２６】
ここで、制御部３は、識別情報を正常に読み取ることができたか否かを、次のように判定する。具体的には、制御部３は、複数の読取部７（ＯＣＲ７ａ、ＢＣＲ７ｂ、およびＩＣ読取部７ｃ）のいずれかを用いて識別情報を読み取った場合に、読み取った識別情報を通信部１を用いて入力端末２００に送信する。そして、入力端末２００は、通信部１から受信した識別情報の正否を判定し、判定結果を冊子作成装置１００に戻す。そして、制御部３は、入力端末２００から受信した判定結果に基づいて、読み取った識別情報の成否、すなわち識別情報を正常に読み取ることができたか否かを判定する。
【００２７】
以下では、読取優先度リストＬ１（図３参照）に基づいて読取成功率の高い順に識別情報を読み取る上記の制御動作を、通常印刷モードという。通常印刷モードは、「第１モード」の一例である。ここで、通常印刷モードでの制御動作の際に用いられる読取優先度リストＬ１は、以下に説明するような学習モードでの制御動作により生成される。学習モードは、「第２モード」の一例である。実施形態では、制御部３は、通常印刷モードでの制御動作と学習モードでの制御動作とを、冊子作成装置１００のオペレータによる操作部２の操作に基づいて切り替え可能に構成されている。
【００２８】
学習モードでは、制御部３は、供給部５から未発行状態の冊子が供給された場合に、まず、図４に示すような記録方式リストＬ２を記憶部４から読み出すように構成されている。記録方式リストＬ２は、識別情報の記録方式に関する情報が記録方式別に列挙されたリストである。図４に示す記録方式リストＬ２には、一例として、どのような規格に従って識別情報が記録されているかを示す情報と、冊子のどのページに識別情報が記録されているかを示す情報と、ページのどの位置（Ｘ座標・Ｙ座標および幅・高さ）に識別情報が記録されているかを示す情報とが記録方式別に登録されている。
【００２９】
学習モードでは、制御部３は、上記の記録方式リストＬ２（図４参照）に基づいて、各記録方式で記録された識別情報を、各読取部７（ＯＣＲ７ａ、ＢＣＲ７ｂ、またはＩＣ読取部７ｃ）を用いて順次読み取るように構成されている。学習モードにおけるこのような読取処理は、一例として、記録方式リストＬ２に登録された順に行われる。
【００３０】
たとえば、図４に示した記録方式リストＬ２には、識別情報の記録方式が、テキスト方式、バーコード方式、レーザ穿孔方式、およびＩＣ方式の順に登録されている。したがって、実施形態では、制御部３は、学習モードにおいて供給部５から未発行状態の冊子が供給された場合に、まず、ＯＣＲ７ａを用いてテキスト方式で記録された識別情報を読み取る。そして、制御部３は、ＯＣＲ７ａを用いてテキスト方式で記録された識別情報を読み取った後に、ＢＣＲ７ｂを用いてバーコード方式で記録された識別情報を読み取る。そして、制御部３は、ＢＣＲ７ｂを用いてバーコード方式で記録された識別情報を読み取った後に、ＯＣＲ７ａを用いてレーザ穿孔方式で記録された識別情報を読み取り、ＯＣＲ７ａを用いてレーザ穿孔方式で記録された識別情報を読み取った後に、ＩＣ読取部７ｃを用いてＩＣ方式で記録された識別情報を読み取る。
【００３１】
なお、図４に示した記録方式リストＬ２によれば、テキスト方式、バーコード方式、レーザ穿孔方式、およびＩＣ方式の識別情報は、それぞれ、冊子の４ページ、５ページ、６ページ、および３ページに記録されている。したがって、冊子作成装置１００は、テキスト方式、バーコード方式、レーザ穿孔方式、およびＩＣ方式の識別情報を上記のように読み取る際に、めくり部６を用いて、冊子のページを、それぞれ、４ページ、５ページ、６ページ、および３ページまでめくる。
【００３２】
学習モードでは、制御部３は、４つの記録方式で記録された識別情報の全てを上記のように読み取った後に、読み取った識別情報の全てを通信部１を用いて入力端末２００に送信する。そして、入力端末２００は、通信部１から受信した識別情報の各々の正否を判定し、判定結果を冊子作成装置１００に戻す。そして、制御部３は、入力端末２００から受信した判定結果に基づいて、識別情報を正常に読み取ることができたか否か、すなわち識別情報の読取結果を記録方式別にカウントする。この時、制御部３は、一例として、図５に示すような読取結果リストＬ３を生成する。
【００３３】
図５に示すように、読取結果リストＬ３には、識別情報の記録方式に関する情報と、読取結果とが、記録方式別に登録されている。読取結果は、識別情報を正常に読み取ることができたことを示す「ＯＫ」というステータスと、正常に読み取ることができなかったことを示す「ＮＧ」というステータスのいずれかをとりうる。
【００３４】
学習モードでは、制御部３は、読取結果リストＬ３（図５参照）に基づいて、読取結果が「ＯＫ」というステータスになっている記録方式が１つでも存在するか否かを判断するように構成されている。そして、制御部３は、読取結果が「ＯＫ」というステータスになっている記録方式が１つでも存在すると判断した場合に、冊子印刷部８およびＩＣ書込部１０を用いて冊子に情報を記録するように構成されている。一方、制御部３は、読取結果が「ＯＫ」というステータスになっている記録方式が読取結果リストＬ３に１つも存在しない場合には、冊子印刷部８およびＩＣ書込部１０を用いて冊子に情報を記録せずに、不良集積部１２ａに冊子を排出するように構成されている。
【００３５】
４つの記録方式で記録された識別情報の全ての読取結果をカウントする上記のカウント処理は、通常印刷モードに移行する操作などの学習モードを終了する操作が冊子作成装置１００のオペレータにより行われるまで、供給部５から未発行状態の冊子が供給される毎に実行される。すなわち、読取結果リストＬ３（図５参照）は、冊子作成装置１００のオペレータにより学習モードを終了する操作が行われるまで、供給部５から未発行状態の冊子が供給される毎に追加で生成される。
【００３６】
制御部３は、冊子作成装置１００のオペレータにより学習モードを終了する操作が行われた場合に、これまでに生成した読取結果リストＬ３（図５参照）に基づいて、識別情報の読取結果を記録方式別に集計するように構成されている。そして、制御部３は、集計結果に基づいて識別情報の読取成功率を算出することにより、読取優先度リストＬ１（図３参照）を生成するように構成されている。より具体的には、制御部３は、これまでの読取結果を記録方式別に集計することにより、読取成功率、すなわち、読取結果が「ＯＫ」というステータスになった回数の上記のカウント処理を実行した回数に対する割合を記録方式別に算出するように構成されている。そして、制御部３は、このように算出した読取成功率に基づいて、４つの記録方式が読取成功率の高い順に登録された読取優先度リストＬ１（図３参照）を生成するように構成されている。
【００３７】
次に、図６を参照して、実施形態による冊子作成装置１００（制御部３）がモードを移行する際に実行する処理フローの一例について説明する。
【００３８】
この処理フローでは、図６に示すように、冊子作成装置１００（制御部３）は、まず、ステップＳ１において、モードの移行操作が行われたか否かを判断する。この移行操作は、たとえば冊子作成装置１００のオペレータが操作部２を操作することにより行われる。
【００３９】
ステップＳ１において、学習モードへの移行操作が行われたと判断された場合には、ステップＳ２に処理が進む。そして、ステップＳ２において、冊子作成装置１００は、学習モードでの制御動作（後述する図７参照）を開始する。そして、処理が終了する。
【００４０】
また、ステップＳ１において、通常印刷モードへの移行操作が行われたと判断された場合には、ステップＳ３に処理が進む。そして、ステップＳ３において、冊子作成装置１００は、通常印刷モードでの制御動作（後述する図８参照）を開始する。そして、処理が終了する。
【００４１】
次に、図７を参照して、実施形態による冊子作成装置１００（制御部３）が学習モードで動作する際に実行する処理フローの一例について説明する。この処理フローは、冊子作成装置１００が入力端末２００からの冊子作成指示を受信した場合に開始する。この冊子作成指示は、冊子にどのような情報を印刷し、冊子に設けられたＩＣチップにどのような情報を書き込むかを示すデータとともに入力端末２００から冊子作成装置１００に送信される。
【００４２】
この処理フローでは、図７に示すように、冊子作成装置１００（制御部３）は、まず、ステップＳ１１において、供給部５から供給される冊子を冊子作成装置１００内に取り込む。そして、ステップＳ１２に処理が進む。
【００４３】
ステップＳ１２において、冊子作成装置１００は、記憶部４から記録方式リストＬ２（図４参照）を取得する。この記録方式リストＬ２は、冊子作成装置１００のオペレータなどにより記憶部４に予め設定・記憶されている。そして、ステップＳ１３に処理が進む。
【００４４】
ステップＳ１３において、冊子作成装置１００は、記録方式リストＬ２に基づいて選択した１つの記録方式に対応する１つの読取部７（ＯＣＲ７ａ、ＢＣＲ７ｂ、またはＩＣ読取部７ｃ）を用いて、冊子から識別情報を取得する。ここで選択される記録方式は、たとえば記録方式リストＬ２（図４参照）に最初に登録された記録方式である。
【００４５】
たとえば、図４に示した記録方式リストＬ２によれば、記録方式リストＬ２に最初に登録された記録方式はテキスト方式である。したがって、この場合、テキスト方式で冊子に記録された識別情報を読み取るために、ＯＣＲ７ａが用いられる。また、図４に示した記録方式リストＬ２によれば、テキスト方式の識別情報は冊子の４ページ目に記録されている。したがって、この場合、冊子作成装置１００は、めくり部６を用いて、冊子のページを４ページまでめくる。そして、ステップＳ１４に処理が進む。
【００４６】
ステップＳ１４において、冊子作成装置１００は、記録方式リストＬ２（図４参照）に登録された全ての記録方式に対応する全ての識別情報を取得したか否かを判断する。
【００４７】
ステップＳ１４において、全ての識別情報がまだ取得されていないと判断された場合には、ステップＳ１５に処理が進む。そして、ステップＳ１５において、冊子作成装置１００は、直近に取得した識別情報の記録方式の次に記録方式リストＬ２（図４参照）に登録された記録方式に対応する読取部７を用いて、冊子から識別情報をさらに取得する。より具体的には、冊子作成装置１００は、記録方式リストＬ２に基づいて、識別情報が記録された冊子のページを特定し、めくり部６を用いて冊子のページを識別情報が記録されたページまでめくった後に、読取部７を用いて識別情報を読み取る。そして、ステップＳ１４に処理が戻る。
【００４８】
一方、ステップＳ１４において、全ての識別情報が取得済であると判断された場合には、ステップＳ１６に処理が進む。そして、ステップＳ１６において、冊子作成装置１００は、ステップＳ１３およびＳ１５において取得した全ての識別情報を入力端末２００に送信する。そして、ステップＳ１７に処理が進む。
【００４９】
ステップＳ１７において、冊子作成装置１００は、入力端末２００からの電文を受信したか否かを判断する。この電文は、ステップＳ１６において冊子作成装置１００から入力端末２００に送信された識別情報の正否に関する入力端末２００の判断結果を示す情報である。ステップＳ１７の処理は、入力端末２００からの電文が受信されたと判断されるまで繰り返される。そして、ステップＳ１７において、入力端末２００からの電文が受信されたと判断された場合には、ステップＳ１８に処理が進む。
【００５０】
ステップＳ１８において、冊子作成装置１００は、ステップＳ１７において入力端末２００から受信した電文に基づいて、識別情報の読取結果を記録方式別にカウントする。ここで、読取結果とは、識別情報を正常に読み取ることができたか否かを示す情報であり、正常に読み取ることができたことを示す「ＯＫ」というステータスと、正常に読み取ることができなかったことを示す「ＮＧ」というステータスのいずれかをとりうる。ステップＳ１８の処理により、読取結果リストＬ３（図５参照）が作成される。そして、ステップＳ１９に処理が進む。
【００５１】
ステップＳ１９において、冊子作成装置１００は、読取結果リストＬ３（図５参照）に基づいて、全ての読取結果が「ＮＧ」というステータスか否かを判断する。
【００５２】
ステップＳ１９において、全ての読取結果が「ＮＧ」というステータスであると判断された場合には、ステップＳ２０に処理が進む。そして、ステップＳ２０において、冊子作成装置１００は、不良集積部１２ａに冊子を排出する。そして、処理が終了する。
【００５３】
また、ステップＳ１９において、全ての読取結果が「ＮＧ」というステータスではないと判断された場合、すなわち、「ＯＫ」というステータスの読取結果が１つでも存在すると判断された場合には、ステップＳ２１に処理が進む。そして、ステップＳ２１において、冊子作成装置１００は、冊子作成装置１００のオペレータにより学習モードを終了する操作が行われたか否かを判断する。学習モードを終了する操作とは、たとえば、通常印刷モードに移行する操作などである。
【００５４】
ステップＳ２１において、学習モードを終了する操作が行われたと判断された場合には、ステップＳ２２に処理が進む。そして、ステップＳ２２において、冊子作成装置１００は、これまでに実行したステップＳ１８の処理によるカウント結果を集計し、読取優先度リストＬ１（図３参照）を生成する。より具体的には、冊子作成装置１００は、これまでに作成した読取結果リストＬ３（図５参照）の読取結果に基づいて、識別情報を正常に読み取ることができた回数などを記録方式別に集計することにより、読取優先度リストＬ１を生成する。この読取優先度リストＬ１は、記録方式リストＬ２に登録された各記録方式が、識別情報の読取成功率（読取結果が「ＯＫ」というステータスになった率）の高い順に登録されたものである。このように読取優先度リストＬ１が生成された後には、ステップＳ２３に処理が進む。
【００５５】
なお、ステップＳ２１において、学習モードを終了する操作が行われていないと判断された場合には、ステップＳ２２のような処理は行われずに、ステップＳ２３に処理が進む。
【００５６】
ステップＳ２３において、冊子作成装置１００は、冊子印刷部８を用いて、入力端末２００から受信したデータに基づく情報を冊子の印刷面に印刷する。そして、ステップＳ２４に処理が進む。
【００５７】
ステップＳ２４において、冊子作成装置１００は、検査部９を用いて、ステップＳ２３における印刷の結果を検査する。すなわち、冊子作成装置１００は、検査部９を用いて冊子の印刷面を読み取ることにより、冊子に情報が正常に印刷されているか否かを検査する。そして、ステップＳ２５に処理が進む。
【００５８】
ステップＳ２５において、冊子作成装置１００は、ステップＳ２４における検査の結果が正常か否かを判断する。
【００５９】
ステップＳ２５において、検査結果が正常でないと判断された場合、すなわち、検査結果が不良であると判断された場合には、ステップＳ２６に処理が進む。そして、ステップＳ２６において、冊子作成装置１００は、不良集積部１２ｂに冊子を排出する。そして、処理が終了する。
【００６０】
また、ステップＳ２５において、検査結果が正常であると判断された場合には、ステップＳ２７に処理が進む。そして、ステップＳ２７において、冊子作成装置１００は、ＩＣ書込部１０を用いて、冊子に設けられたＩＣに、入力端末２００から受信したデータに基づく情報を書き込む。そして、ステップＳ２８に処理が進む。
【００６１】
ステップＳ２８において、冊子作成装置１００は、正常集積部１１に冊子を排出する。そして、ステップＳ２９に処理が進む。
【００６２】
ステップＳ２９において、冊子作成装置１００は、通信部１を用いて、冊子の作成が終了した旨を上位端末３００に通知する。そして、処理が終了する。
【００６３】
次に、図８を参照して、実施形態による冊子作成装置１００が通常印刷モードで動作する際に実行する処理フローの一例について説明する。この処理フローも、上記図７に示す処理フローと同様に、冊子作成装置１００が入力端末２００からの冊子作成指示を受信した場合に開始する。
【００６４】
この処理フローでは、図８に示すように、冊子作成装置１００（制御部３）は、まず、ステップＳ３１において、供給部５から供給される冊子を冊子作成装置１００内に取り込む。そして、ステップＳ３２に処理が進む。
【００６５】
ステップＳ３２において、冊子作成装置１００は、学習モード（図７のステップＳ２２参照）での制御動作の結果生成された読取優先度リストＬ１（図３参照）に基づいて、読取成功率の最も高い記録方式に対応する読取部７で、冊子から識別情報を取得する。たとえば、図３に示した読取優先度リストＬ１によれば、読取成功率の最も高い記録方式はテキスト方式である。したがって、この場合、テキスト方式で冊子に記録された識別情報を読み取るために、ＯＣＲ７ａが用いられる。また、図３に示した読取優先度リストＬ１によれば、テキスト方式の識別情報は、冊子の４ページに記録されている。したがって、冊子作成装置１００は、ＯＣＲ７ａを用いて識別情報を読み取る前に、めくり部６を用いて、冊子のページを４ページまでめくる。そして、ステップＳ３３に処理が進む。
【００６６】
ステップＳ３３において、冊子作成装置１００は、ステップＳ３２において取得した識別情報を入力端末２００に送信する。そして、ステップＳ３４に処理が進む。
【００６７】
ステップＳ３４において、冊子作成装置１００は、入力端末２００からの電文を受信したか否かを判断する。この電文は、ステップＳ３３において冊子作成装置１００から入力端末２００に送信された識別情報の正否に関する入力端末２００の判断結果を示す情報である。ステップＳ３４の処理は、入力端末２００からの電文が受信されたと判断されるまで繰り返される。そして、ステップＳ３４において、入力端末２００からの電文が受信されたと判断された場合には、ステップＳ３５に処理が進む。
【００６８】
ステップＳ３５において、冊子作成装置１００は、ステップＳ３４において入力端末２００から受信した電文に基づいて、識別情報の読取結果が「ＯＫ」というステータスか否かを判断する。
【００６９】
ステップＳ３５において、読取結果が「ＯＫ」というステータスではないと判断された場合、すなわち、読取結果が「ＮＧ」というステータスであると判断された場合には、ステップＳ３６に処理が進む。そして、ステップＳ３６において、冊子作成装置１００は、読取優先度リストＬ１（図３参照）に登録された全ての記録方式に対応する全ての識別情報を取得したか否かを判断する。
【００７０】
ステップＳ３６において、全ての識別情報がまだ取得されていないと判断された場合には、ステップＳ３７に処理が進む。そして、ステップＳ３７において、冊子作成装置１００は、読取優先度リストＬ１（図３参照）に基づいて、直近に取得した識別情報の記録方式の次に読取成功率の高い記録方式に対応する読取部７で冊子から識別情報を取得する。より具体的には、冊子作成装置１００は、読取優先度リストＬ１に基づいて、識別情報が記録された冊子のページを特定し、めくり部６を用いて冊子のページを識別情報が記録されたページまでめくった後に、読取部７を用いて識別情報を読み取る。そして、ステップＳ３３に処理が戻る。
【００７１】
また、ステップＳ３６において、全ての識別情報が取得済であると判断された場合には、ステップＳ３８に処理が進む。そして、ステップＳ３８において、冊子作成装置１００は、不良集積部１２ａに冊子を排出する。そして、処理が終了する。
【００７２】
一方、ステップＳ３５において、読取結果が「ＯＫ」というステータスであると判断された場合には、ステップＳ３９に処理が進む。そして、ステップＳ３９において、冊子作成装置１００は、冊子印刷部８を用いて、入力端末２００から受信したデータに基づく情報を冊子の印刷面に印刷する。そして、ステップＳ４０に処理が進む。
【００７３】
ステップＳ４０において、冊子作成装置１００は、検査部９を用いて、ステップＳ３９における印刷の結果を検査する。そして、ステップＳ４１に処理が進む。
【００７４】
ステップＳ４１において、冊子作成装置１００は、ステップＳ４０における検査の結果が正常か否かを判断する。
【００７５】
ステップＳ４１において、検査結果が正常でないと判断された場合、ステップＳ４２に処理が進む。そして、ステップＳ４２において、冊子作成装置１００は、不良集積部１２ｂに冊子を排出する。そして、処理が終了する。
【００７６】
また、ステップＳ４１において、検査結果が正常であると判断された場合には、ステップＳ４３に処理が進む。そして、ステップＳ４３において、冊子作成装置１００は、ＩＣ書込部１０を用いて、冊子に設けられたＩＣチップに、入力端末２００から受信したデータに基づく情報を書き込む。そして、ステップＳ４４に処理が進む。
【００７７】
ステップＳ４４において、冊子作成装置１００は、正常集積部１１に冊子を排出する。そして、ステップＳ４５に処理が進む。
【００７８】
ステップＳ４５において、冊子作成装置１００は、通信部１を用いて、冊子の作成が終了した旨を上位端末３００に通知する。そして、処理が終了する。
【００７９】
以上説明したように、実施形態では、制御部３は、読取優先度リストＬ１（図３参照）に基づいて、読取成功率が最も高い第１記録方式で記録された識別情報を、第１記録方式に対応する読取部７（図３によれば、テキスト方式に対応するＯＣＲ７ａ）を用いて冊子から読み取り、識別情報を正常に読み取ることができた場合に、冊子印刷部８およびＩＣ書込部１０を用いて冊子に情報を記録する制御を行うように構成されている。なお、読取優先度リストＬ１は、複数（図３では４つ）の記録方式が識別情報の読取成功率順に登録されたリストである。これにより、読取優先度リストＬ１に基づいて、読取成功率が最も高い読取方式の識別情報を読み取ることができるので、識別情報が正常に読み取れないことに起因して不良であるとして処理される冊子の数を低減することができる。また、実施形態によれば、読取成功率が最も高い読取方式の識別情報を読み取るので、４つの記録方式で記録された識別情報の全てを読み取ることなく正常な識別情報を取得することができる可能性が高くなり、その結果、識別情報の読取時間を短縮することができる。
【００８０】
また、実施形態では、上記のように、制御部３は、４つの記録方式で記録された識別情報の各々を３つの読取部７の各々を用いて順次読み取った結果を記録方式別に集計することにより（学習モード）、読取優先度リストＬ１を生成するように構成されている。これにより、４つの記録方式で記録された識別情報の全ての読取結果に基づいて、読取優先度リストＬ１を容易に生成することができる。
【００８１】
また、実施形態では、上記のように、制御部３は、読取優先度リストＬ１に基づいて、読取成功率の最も高い第１記録方式に対応する読取部７を用いて識別情報を読み取る通常印刷モードでの制御動作と、読取優先度リストＬ１を生成するために、４つの記録方式で記録された識別情報を３つの読取部７を用いて順次読み取る学習モードでの制御動作とを切り替え可能に構成されている。これにより、識別情報の読取時間を短縮可能な通常印刷モードと、読取優先度リストＬ１を生成するための学習モードとを必要に応じて切り替えることができる。
【００８２】
また、実施形態では、上記のように、制御部３は、読取成功率の最も高い第１記録方式に対応する読取部７を用いても識別情報を正常に読み取ることができない場合に、読取優先度リストＬ１に基づいて、第１記録方式以外の第２記録方式（図３によれば、バーコード方式、レーザ穿孔方式、ＩＣ方式）で記録された識別情報を第２記録方式に対応する読取部７を用いて読み取る処理を、識別情報を正常に読み取ることができるまで、読取成功率の高い順に順次実行するように構成されている。これにより、第１記録方式で記録された識別情報を正常に読み取ることができない場合でも、第２記録方式で記録された識別情報を読取成功率の高い順に読み取ることによって、正常な識別情報を取得することができる可能性をより高めることができる。
【００８３】
また、実施形態では、上記のように、制御部３は、第２記録方式で記録された識別情報を読み取る処理を読取成功率の高い順に順次実行しても、読取成功率の最も低い第２記録方式で記録された識別情報を正常に読み取ることができない場合に、冊子に情報を記録せずに不良集積部１２ａに冊子を排出するように構成されている。これにより、識別情報を正常に読み取ることができない冊子が冊子作成装置１００内に留め置かれることに起因して冊子の作成が滞るのを抑制することができる。
【００８４】
以上、本発明の実施形態を説明したが、上記実施形態はあくまで一例であって、発明の範囲を限定することは意図していない。上記実施形態は、様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【符号の説明】
【００８５】
３  制御部
５  供給部
７  読取部
７ａ  ＯＣＲ（読取部）
７ｂ  ＢＣＲ（読取部）
７ｃ  ＩＣ読取部
８  冊子印刷部（記録部）
１０  ＩＣ書込部（記録部）
１００  冊子作成装置（媒体作成装置）
Ｌ１  読取優先度リスト
【図１】
2015176302.tif 000003
【図２】
2015176302.tif 000004
【図３】
2015176302.tif 000005
【図４】
2015176302.tif 000006
【図５】
2015176302.tif 000007
【図６】
2015176302.tif 000008
【図７】
2015176302.tif 000009
【図８】
2015176302.tif 000010